(57)【要約】【課題】本発明は、薬剤容器、及び薬剤を封入した薬剤入り容器に関するもので、薬剤量調整に対する作業性を高めることを目的とする。【解決手段】そして、この目的を達成するために本発明は、薬剤供給口２を有する薬剤収納室１と、この薬剤収納室１に薬剤調整路３を介して連結された薬剤調整室４とを備え、前記薬剤調整室４には吸引口５を連結し、前記薬剤調整路３には開閉弁６を設けた。薬剤収納室１に残す薬剤１１の量を調整するためには、開閉弁６を開放し、吸引口５から空気を抜くことで、余分な薬剤１１を薬剤調整室４に移動させる。【選択図】図１
2015002753.tif 000002
【特許請求の範囲】
【請求項１】
薬剤供給口を有する薬剤収納室と、この薬剤収納室に薬剤調整路を介して連結された薬剤調整室とを備え、前記薬剤調整室には吸引口を連結し、前記薬剤調整路には開閉弁を設けた薬剤容器。
【請求項２】
薬剤収納室は可撓性を有し、薬剤調整室は定形性を有する構成とした請求項１に記載の薬剤容器。
【請求項３】
薬剤調整室には調整目盛りを設けた請求項２に記載の薬剤容器。
【請求項４】
薬剤収納室と薬剤調整室を覆う可撓性のカバーを設け、このカバーの一端側外に、薬剤供給口を設けると共に、このカバーの一端側には、薬剤調整時吊り下げ孔を設け、このカバーの他端側には、薬剤投与時吊り下げ孔を設けた請求項１〜３のいずれか一つに記載の薬剤容器。
【請求項５】
カバー外に吸引口を設けた請求項４に記載の薬剤容器。
【請求項６】
薬剤収納室には、連通手段を介して副薬剤収納室を連結した請求項１〜５のいずれか一つに記載の薬剤容器。
【請求項７】
連通手段は、薬剤収納室と副薬剤収納室間に設けた破断膜によって構成した請求項６に記載の薬剤容器。
【請求項８】
連通手段は、薬剤調整室と副薬剤収納室間に設けた副開閉弁によって構成した請求項６に記載の薬剤容器。
【請求項９】
吸引口には、吸引手段を連結した請求項１〜８のいずれか一つに記載の薬剤容器。
【請求項１０】
薬剤調整室に第２の連通手段を介して連結された副薬剤収納室を設けた請求項１に記載の薬剤容器。
【請求項１１】
第２の連通手段は、薬剤調整室と副薬剤収納室との間に設けた破断膜によって構成した請求項１０に記載の薬剤容器。
【請求項１２】
副薬剤収納室に収納された薬剤は、薬剤収納室に収納された薬剤を中和する中和剤、もしくは前記薬剤収納室に収納された薬剤を無毒化する失効剤とした請求項１０、もしくは請求項１１に記載の薬剤容器。
【請求項１３】
薬剤調整室と吸引口間に、気液分離膜を設けた請求項１に記載の薬剤容器。
【請求項１４】
薬剤調整室には、薬剤収納室に収納された薬剤の量を示すための薬剤投与目盛りを設けた請求項１に記載の薬剤容器。
【発明の詳細な説明】
【技術分野】
【０００１】
本発明は、薬剤容器、及び薬剤を封入した薬剤入り容器に関するものである。
【背景技術】
【０００２】
例えば、点滴治療に用いられる薬剤容器は、薬剤供給口から薬剤収納室内に薬剤を流入させた構成となっており、前記点滴治療時には、前記薬剤供給口に、チューブを介して点滴針を連結し、この点滴針を患者に差し込むことで、前記薬剤収納室内の薬剤を患者に投与するようになっていた（たとえば下記特許文献１参照）。
【先行技術文献】
【特許文献】
【０００３】
【特許文献１】特開２００４−２９０２１７号公報
【発明の概要】
【発明が解決しようとする課題】
【０００４】
前記薬剤収納室内に収納される薬剤量は、患者の体格や年齢等によって、適量に設定しなければならない。このため、病院では、薬剤室において、個人毎に必要とする薬剤を、例えば、個別の薬剤瓶から注射針で吸引し、それを個人毎の、薬剤容器の薬剤収納室内に注入する作業が発生する。つまり、この時には、薬剤瓶の取り出し、注射針の吸引、注入、薬剤瓶の収納、注射針の廃棄など、多くの手間を要するものとなり、作業性の悪いものとなってしまう。
【０００５】
そこで本発明は、作業性を高めることを目的とするものである。
【課題を解決するための手段】
【０００６】
そしてこの目的を達成するために本発明は、薬剤供給口を有する薬剤収納室と、この薬剤収納室に薬剤調整路を介して連結された薬剤調整室とを備え、前記薬剤調整室には吸引口を連結し、前記薬剤調整路には開閉弁を設け、これにより、所期の目的を達成するものである。
【発明の効果】
【０００７】
以上のように本発明は、薬剤供給口を有する薬剤収納室と、この薬剤収納室に薬剤調整路を介して連結された薬剤調整室とを備え、前記薬剤調整室には吸引口を連結し、前記薬剤調整路には開閉弁を設けたものであるので、作業性の高いものとなる。
【０００８】
すなわち、本発明においては、患者の体格や年齢等によって異なる個人毎に必要とする薬剤量の調整は、開閉弁を開放することで一部の薬剤を薬剤調整室に移動させることで行うことができ、極めて作業性の高いものとなるのである。
【図面の簡単な説明】
【０００９】
【図１】本発明の実施の形態１に係る薬剤入り容器を示す正面図
【図２】同使用例を示す正面図
【図３】同使用例を示す正面図
【図４】本発明の実施の形態２に係る薬剤入り容器を示す正面図
【図５】本発明の実施の形態３に係る薬剤入り容器を示す正面図
【図６】本発明の実施の形態４に係る薬剤入り容器を示す正面図
【図７】本発明の実施の形態５に係る薬剤入り容器を示す正面図
【図８】本発明の実施の形態６係る薬剤入り容器を示す正面図
【図９】本発明の実施の形態７に係る薬剤入り容器を示す正面図
【発明を実施するための形態】
【００１０】
以下、本発明の一実施形態を、図面とともに詳細に説明する。
【００１１】
（実施の形態１）
図１において、１は薬剤供給口２を有する透明の薬剤収納室であり、この薬剤収納室１には、薬剤調整路３を介して透明の薬剤調整室４が連結されている。また、前記薬剤調整室４には吸引口５が連結され、更に、前記薬剤調整路３には開閉弁６が設けられている。
【００１２】
薬剤収納室１は、円筒形となっているが、この円筒は可撓性を有するものになっている。これに対し、前記薬剤調整室４は円筒形で定形性を有する構成となっており、この薬剤調整室４には調整目盛り７が設けられている。
【００１３】
本実施形態においては、薬剤収納室１と薬剤調整室４のそれぞれの表裏面は、可撓性で透明のカバー８で覆われている。そして、このカバー８の一端側外には、前記薬剤供給口２を設けると共に、このカバー８の一端側には、薬剤調整時吊り下げ孔９を設け、また、このカバー８の他端側には、薬剤投与時吊り下げ孔１０を設けている。更に、カバー８の側辺部分には、前記吸引口５をカバー８外に向けて設けている。
【００１４】
本実施形態においては、製薬会社で製造された薬剤が、製薬会社または薬剤封入工場において、図２のごとく、薬剤供給口２を上方として、この薬剤供給口２から薬剤収納室１内に、収納させられる。この時、開閉弁６は、図１のごとく、閉状態となっており、また、薬剤１１を薬剤収納室１内に供給した後には、薬剤供給口２も閉状態となっている。このため、薬剤１１が薬剤収納室１内に封入された状態となっており、この封入状態で、薬剤入り薬剤容器として、病院に納品させられる。
【００１５】
納品を受けた病院では、患者に対し、次のようにして点滴を行う。
【００１６】
まず、図２に示すごとく、例えば、病室にて薬剤入り薬剤容器を、その薬剤調整時吊り下げ孔９側を上方とし、フック１２に薬剤調整時吊り下げ孔９を吊り下げる。
【００１７】
次に、注射器１３、または吸引器１４を吸引口５に挿入する。その後、開閉弁６を、この図２に示すごとく、開状態とし、次に、前記注射器１３、または吸引器１４によって、薬剤調整室４内の空気を吸引する。すると、薬剤収納室１内の薬剤１１が、薬剤調整路３を介して薬剤調整室４内に移動する。この薬剤調整室４への薬剤１１の移動量によって、薬剤収納室１内に残存する薬剤１１の量が定められることとなる。つまり、患者の体格や年齢等によって定められた量の点滴が行えるように、薬剤収納室１内に残存する薬剤１１の量を定めるのである。この時、薬剤収納室１内には、予め、例えば１０００ｃｃの薬剤１１が充填されている状態で、上述したように、薬剤調整室４内に１５０ｃｃ移動させれば、結論として、薬剤収納室１内には、８５０ｃｃの薬剤１１が準備されたこととなる。
【００１８】
そして、このようにして、例えば、薬剤収納室１内に８５０ｃｃの薬剤１１を準備した後には、まず、開閉弁６を閉状態とし、次に、吸引口５から上述した注射器１３、または吸引器１４を引き抜く。なお、このように、吸引口５から、注射器１３、または吸引器１４を引き抜くと、吸引口５は自動的に閉状態となる。
【００１９】
その後、図３に示すごとく、薬剤投与時吊り下げ孔１０側を上方にして、フック１２に薬剤投与時吊り下げ孔１０を吊り下げ、次に、薬剤供給口２にチューブ１５を介して、点滴針１６を連結し、この状態で、点滴針１６を患者に差し込む。なお、薬剤供給口２にチューブ１５を連結すると、薬剤供給口２は、開放状態となっている。従って、この状態で、チューブ１５に介在させた開閉弁（図示せず）を開放すれば、薬剤収納室１内の薬剤１１が、点滴針１６から患者に投与されることとなる。
【００２０】
以上の説明で明らかなように、本実施形態においては、患者の体格や年齢等によって異なる個人毎に必要とする薬剤１１の量の調整は、開閉弁６を開放することで一部の薬剤１１を薬剤調整室４に移動させることで行うことができ、極めて作業性の高いものとなるのである。
【００２１】
また、以上の説明からも明らかなように、調整した薬剤１１は、薬剤調整室４に移動させられるだけで、本実施形態の薬剤容器外に取り出すものではないので、この点からも、取り扱い、作業性のよいものとすることができる。例えば、薬剤１１が、がん治療薬であった場合には、それに触れることすら避ければならないものもあるが、本実施形態のように、調整済みの薬剤１１を薬剤調整室４に移動させるだけで、薬剤容器外に取り出さないようにすれば、その取り扱いが極めて簡便で、作業性のよいものとすることができるものである。
【００２２】
（実施の形態２）
図４は、本発明の実施の形態２を示し、薬剤収納室１には、連通手段として設けた破断膜１７を介して副薬剤収納室１８を連結したものである。
【００２３】
つまり、副薬剤収納室１８には、他の薬剤１９を収納させており、点滴直前に、まず、破断膜１７を破断して薬剤１９と薬剤１１を混合する。
【００２４】
次に、上述した患者の体格や年齢等を考慮して、この混合状態の薬剤（１１、１９）の量を調整し（一部を薬剤調整室４に移動）、その状態で、点滴を行うようにしている。
【００２５】
（実施の形態３）
図５は、本発明の実施の形態３を示し、この実施形態では、薬剤収納室１内に粉末状の薬剤２０が収納させられている。また、この薬剤収納室１に連通手段として設けた破断膜２１を介して連結した副薬剤収納室２２には、液状の薬剤２３が収納されている。更に、薬剤収納室１に、連通手段として設け、副開閉弁２４を介して連結した副薬剤収納室２５には、液状の薬剤２６が収納されている。
【００２６】
このため、点滴直前に、まず、破断膜２１を破断して薬剤２３と薬剤２０を混合すると共に、副開閉弁２４を開放して、薬剤２６を薬剤収納室１内に流入させて混合する。
【００２７】
そして、上述した患者の体格や年齢等を考慮して、この混合状態の薬剤（２０、２３、２６）の量を調整し（一部を薬剤調整室４に移動）、その状態で、点滴を行うようにしている。
【００２８】
（実施の形態４）
図６は、本発明の実施の形態４を示し、この実施形態では、吸引口５には、吸引手段２７を連結したものである。つまり、上述した実施の形態１〜３においては、吸引口５に、注射器１３、または吸引器１４を連結する必要があったが、この実施の形態４のように、吸引口５に、吸引手段２７を連結すれば、薬剤収納室１内の薬剤（例えば、１１）を薬剤調整室４に、より簡単に移動させることができる。
【００２９】
（実施の形態５）
図７は、本発明の実施の形態５を示し、この実施形態では、薬剤調整室４に第２の連通手段として設けた破断膜２８を介して連結された副薬剤収納室２９を設けたものである。
【００３０】
本実施形態においては、この副薬剤収納室２９には、薬剤収納室１に収納された薬剤１１を中和する中和剤、もしくは薬剤収納室１に収納された薬剤１１を無毒化する失効剤として薬剤３０を収納させている。
つまり、上述した実施の形態１〜４においては、薬剤収納室１内の薬剤（例えば、１１）を薬剤調整室４に、移動させた後、何も処理を行わないが、この実施の形態５のように、薬剤調整室４に第２の連通手段として設けた破断膜２８を介して連結された副薬剤収納室２９を設けることによって、薬剤収納室１内の薬剤（例えば、１１）を薬剤調整室４に、移動させた後、この薬剤（例えば、１１）と、副薬剤収納室２９に収納された薬剤３０とを混合するという処理を行うことができる。
【００３１】
例えば、副薬剤収納室２９に収納された薬剤３０を、薬剤収納室１に収納された薬剤（例えば、１１）を中和する中和剤や、もしくは薬剤収納室１に収納された薬剤を無毒化する失効剤等を用いた場合は、薬剤収納室１に収納された薬剤（例えば、１１）を中和したり、無毒化したりすることができる。特に、薬剤（例えば、１１）が、がん治療薬であった場合には、非常に毒性が高いため、薬剤収納室１に収納された薬剤（例えば、１１）を、薬剤調整室４に、移動させた後に、中和したり、無毒化したりすることは極めて有用なものとなる。
【００３２】
（実施の形態６）
図８は、本発明の実施の形態６を示し、この実施形態では、薬剤調整室４と吸引口５間に、気液分離膜３１を設けたものである。
【００３３】
前述したように、上述した実施の形態１〜５においては、まず、注射器１３（図２に図示）、または吸引器１４（図２に図示）を吸引口５に挿入する。その後、開閉弁６を、開状態とする。次に、前記注射器１３、または吸引器１４によって、薬剤調整室４内の空気を吸引すると、薬剤収納室１内の薬剤（例えば、１１）が、薬剤調整路３を介して薬剤調整室４内に移動する。
【００３４】
ここで、薬剤収納室１内の薬剤（例えば、１１）が、薬剤調整路３を介して薬剤調整室４内に移動する際（すなわち、薬剤調整室４内の空気を吸引することにより）、薬剤（例えば、１１）の種類によっては、微量の薬剤（例えば、１１）が気化してしまうものがある。そのような薬剤（例えば、１１）を用いた場合、その気化した微量の薬剤（例えば、１１）が吸引口５から外部で漏れ出してしまい、その結果として、この薬剤容器を用いて点滴等を行う医療従事者（例えば、看護師）自身に触れてしまう虞がある。
【００３５】
つまり、上述した実施の形態１〜５においては、この薬剤（例えば、１１）が、毒性のある薬剤（例えば、がんの点滴治療に用いられるような薬剤）である場合、この薬剤調整室４内の空気を吸引する作業を行う際に、その気化した微量の薬剤（例えば、１１）が吸引口５から外部で漏れ出してしまい、その結果として、この薬剤容器を用いて点滴等を行う医療従事者自身が毒性に犯されてしてしまう虞があった。
【００３６】
しかしながら、本実施形態においては、薬剤調整室４と吸引口５間に、気液分離膜３１を設けているため、その気化した微量の薬剤（例えば、１１）を、気液分離膜３１によって吸収することができるので、その結果として、気化した微量の薬剤（例えば、１１）の外部への漏れ出しを防止し、この薬剤容器を用いて点滴等を行う医療従事者自身が毒性に犯されてしまうことを防止することができるのである。
【００３７】
（実施の形態７）
図９は、本発明の実施の形態９を示し、この実施形態では、薬剤調整室４に、第１の薬剤収納室１に収納された薬剤（例えば、１１）の量を示すための薬剤投与目盛り３２を設けたものである。
【００３８】
つまり、上述した実施の形態１〜６においては、図１〜図８に示すごとく、調整目盛り７は、開閉弁６側から、吸引口５側に向けて、順次数字が大きくなるように数字が記述されているが、本実施形態においては、薬剤投与目盛り３２は、開閉弁６側から、吸引口５側に向けて、順次数字が小さくなるように、数字が記述されている。
【００３９】
言い換えると、上述した実施の形態１〜６においては、実施の形態１にて説明したように、調整目盛り７は、薬剤（例えば、１１）の薬剤収納室１から薬剤調整室４内へ移動量を示すものであるが、本実施形態における薬剤投与目盛り３２は、薬剤（例えば、１１）の、薬剤収納室１から薬剤調整室４内への移動後における、薬剤収納室１に収納された薬剤（例えば、１１）の量を示すものである。
【００４０】
以下に、本実施形態における具体例を説明する。
【００４１】
例えば、薬剤容器には、予め、薬剤収納室１内には４００ｃｃの薬剤（例えば、１１）が充填されている状態とする。次に、薬剤調整室４の薬剤投与目盛り３２の２５０ｃｃの位置（図９中の点線Ａ）まで、薬剤（例えば、１１）を、薬剤収納室１から薬剤調整室４内へ移動させれば、結論として、薬剤収納室１内には、薬剤調整室４の薬剤投与目盛り３２に示す量と同等の２５０ｃｃの薬剤（例えば、１１）が準備されたこととなる（薬剤調整室４内には実際には１５０ｃｃが移動した状態）。
【００４２】
このように、本実施形態においては、薬剤収納室１から薬剤調整室４内への移動後における、薬剤収納室１内の薬剤（例えば、１１）の量を、医療従事者（例えば、看護師）自身が計算することなく、この薬剤投与目盛り３２を直接読み取ることによって、薬剤収納室１内の薬剤（例えば、１１）の量を、患者個人毎に必要とする量に、より容易に調整することができる。
【００４３】
更に、薬剤収納室１内の薬剤（例えば、１１）の量を、医療従事者（例えば、看護師）自身が計算することが不要なので、その結果として、計算ミス等による医療事故の発生リスクを更に低減することができる。
【産業上の利用可能性】
【００４４】
本発明においては、患者の体格や年齢等によって異なる個人毎に必要とする薬剤量の調整は、開閉弁を開放することで一部の薬剤を薬剤調整室に移動させることで行うことができ、極めて作業性の高いものとなるのである。
【００４５】
従って、薬剤容器、及び薬剤を封入した薬剤入り容器として活用が期待されるものとなる。
【符号の説明】
【００４６】
１  薬剤収納室
２  薬剤供給口
３  薬剤調整路
４  薬剤調整室
５  吸引口
６  開閉弁
７  調整目盛り
８  カバー
９  薬剤調整時吊り下げ孔
１０  薬剤投与時吊り下げ孔
１１  薬剤
１２  フック
１３  注射器
１４  吸引器
１５  チューブ
１６  点滴針
１７  破断膜
１８  副薬剤収納室
１９  薬剤
２０  薬剤
２１  破断膜
２２  副薬剤収納室
２３  薬剤
２４  副開閉弁
２５  副薬剤収納室
２６  薬剤
２７  吸引手段
２８  破断膜
２９  副薬剤収納室
３０  薬剤
３１  気液分離膜
３２  薬剤投与目盛り
【図１】
2015002753.tif 000003
【図２】
2015002753.tif 000004
【図３】
2015002753.tif 000005
【図４】
2015002753.tif 000006
【図５】
2015002753.tif 000007
【図６】
2015002753.tif 000008
【図７】
2015002753.tif 000009
【図８】
2015002753.tif 000010
【図９】
2015002753.tif 000011